(57)【要約】【課題】３６０度旋転する折り畳み脚座を提供する。【解決手段】本考案の３６０度旋転する折り畳み脚座は、支承架体と旋転ベースとからなる。支承架体の両側はそれぞれ軸接部を延伸し、軸接部は複数の定位孔を有し、定位孔は弾性凸ブロックを定位させる。旋転ベースは上旋転盤と下ベースとからなり、上旋転盤底部は螺旋柱で、螺旋柱の外環は複数の定位孔を有し、下ベースの中央は通孔を有する。旋転ベースが下ベースに結合される時、螺旋柱が通孔に設置され、パッドとナットを旋転ベースの螺旋柱に鎖固して、固定する。上述の素子により、旋転ベースが支承架体を結合し、支承架体は垂直状から平坦状に折り畳まれ、また、旋転ベース上の旋転盤は３６０度旋転し、使用者の要求する角度に調整できる。【選択図】図１
0003149682.tif 000002
【実用新案登録請求の範囲】
【請求項１】
３６０度旋転する折り畳み脚座であって、
両側はそれぞれ軸接部を延伸し、前記軸接部は複数の定位孔を有し、前記定位孔が弾性凸ブロックを定位させる支承架体と、
上旋転盤と下ベースとからなり、前記上旋転盤底部は螺旋柱で、前記螺旋柱の外環は複数の定位孔を有し、前記下ベースの中央は通孔を有し、前記下ベースに結合される時、前記螺旋柱が前記通孔に設置され、パッドとナットを前記螺旋柱に鎖固して固定する旋転ベースと、からなることを特徴とする３６０度旋転する折り畳み脚座。
【請求項２】
前記下ベースは複数の弾性凸ブロックを設置し、前記弾性凸ブロックは前記上旋転盤に設置された定位孔に対応し、前記上旋転盤が旋転時、前記弾性凸ブロックを利用して、定位固定することを特徴とする請求項１に記載の３６０度旋転する折り畳み脚座。  
【請求項３】
前記上旋転盤の表面は弧形凹槽を設置し、前記弧形凹槽は前記軸接部を設置することができ、前記弧形凹槽は弾性凸ブロックを設置し、前記軸接部が前記弧形凹槽で可動する時、前記弧形凹槽の弾性凸ブロックにより、前記軸接部の可動角度を定位し、前記上旋転盤と前記支承架体の結合後、前記蓋体により前記支承架体が前記上旋転盤を遮蔽し、ねじにより固定することを特徴とする請求項１に記載の３６０度旋転する折り畳み脚座。
【考案の詳細な説明】
【技術分野】
【０００１】
本考案は、３６０度旋転する折り畳み脚座に関するものであって、特に、底部が３６０度旋転する旋転ベースを提供し、旋転ベースが支承架体を結合し、支承架体が垂直状から折れ曲がることができる折り畳み脚座に関するものである。
【背景技術】
【０００２】
公知の警告ランプの脚座は固定式で、通常、大型機械設備の上方に設置し、注意を促す目的を達成する。このため、警告ランプは大部分が機械の高い位置にあり、機械設備の遷移時に、遷移が困難である。また、警告ランプが衝突するのを避けるため、移動時に注意を必要とする。
【考案の概要】
【考案が解決しようとする課題】
【０００３】
本考案は、３６０度旋転する折り畳み脚座を提供し、底部が３６０度旋転する旋転ベースを有し、また、警告ランプが折り畳まれて、機械設備頂端に平坦に倒すことができるので、上述の公知の問題を解決することができる。
【課題を解決するための手段】
【０００４】
本考案の３６０度旋転する折り畳み脚座は、支承架体と旋転ベースとからなる。支承架体の両側はそれぞれ軸接部を延伸し、軸接部は複数の定位孔を有し、定位孔は弾性凸ブロックを定位させる。旋転ベースは上旋転盤と下ベースとからなり、上旋転盤底部は螺旋柱で、螺旋柱の外環は複数の定位孔を有し、下ベースの中央は通孔を有する。旋転ベースと下ベースを結合する時、螺旋柱が通孔に設置され、パッドとナットを旋転ベースの螺旋柱に鎖固して、固定する。上述の構成素子が折り畳み脚座を構成し、本構造は、旋転ベースが支承架体を結合し、支承架体は垂直状から折り畳まれ、また、旋転ベース上の旋転盤は３６０度旋転し、使用者の要求する角度に調整できる。
【考案の効果】
【０００５】
本考案により、支承架体は垂直状から平坦状に折り畳まれ、機械の遷移時に、警告ランプが何かに衝突するのを防止する。また、旋転ベース上の旋転盤は３６０度旋転し、使用者の要求する角度に調整できる。
【図面の簡単な説明】
【０００６】
【図１】本考案の構造分解図である。
【図２】本考案の組み合わせ立体図である。
【図３】本考案の実施動作状態（一）図である。
【図４】本考案の実施動作状態（二）図である。
【図５】本考案の実施動作状態（三）図である。
【図６】本考案の実施例（一）図である。
【図７】本考案の実施例（二）図である。
【図８】本考案のもう一つの構造分解図である。
【実施例１】
【０００７】
図１は本考案の構造分解図であり、３６０度旋転する折り畳み脚座は、支承架体１０と旋転ベース２０とからなる。
支承架体１０は、両側にそれぞれ、軸接部１１を延伸し、軸接部１１は複数の定位孔１２を有し、定位孔１２は弾性凸ブロック１３を定位させる。旋転ベース２０は上旋転盤２１と下ベース２２とからなり、上旋転盤２１底部は螺旋柱２３で、螺旋柱２３の外環は複数の定位孔２４を有し、上旋転盤２１の表面は弧形凹槽２５を設置する。弧形凹槽２５は軸接部１１を設置することができ、また、凹槽２５は弾性凸ブロック１３を設置し、軸接部１１が弧形凹槽２５で可動する時、弧形凹槽２５の弾性凸ブロック１３により、軸接部１１の可動角度を定位する。下ベース２２の中央は通孔２６を有する。旋転ベースが下ベース２２に結合される時、螺旋柱２３が通孔２６に設置され、パッド２７とナット２８を旋転ベース２０の螺旋柱２３に鎖固して、固定する。
また、下ベース２２は複数の弾性凸ブロック１３を設置し、弾性凸ブロック１３は上旋転盤２１に設置された定位孔２４に対応し、上旋転盤２１が旋転時、弾性凸ブロック１３を利用して、定位固定する。上旋転盤２１と支承架体１０の結合後、蓋体３０により支承架体１０が上旋転盤２１を遮蔽し、ねじにより固定する。
上述の素子により、３６０度旋転する折り畳み脚座を形成し、その組み合わせ立体図が図２で示される。旋転ベース２０と支承架体１０が結合し、支承架体１０は垂直状から平坦状に折り畳まれ、また、旋転ベース２０の上旋転盤２１は３６０度旋転して、使用者の必要な角度に調整することができる。
図３〜図５は、本考案の動作状態図で、図３で示されるように、本考案を警告ランプ４０に適用する。図４中、支承架体１０を一角度折り、警告ランプ４０を平坦に倒す。更に、旋転ベース２０の上旋転盤２１により、３６０度旋転して、使用者の必要な角度に調整する。
図６、図７を参照すると、本考案を機械４１の警告ランプ４０に適用し、機械４１の遷移時、警告ランプ４０を機械４１に対し平坦に倒して、警告ランプ４０が遷移の高度により制限を受けて衝突するのを防止する。
【実施例２】
【０００８】
図８は、本考案のもう一つの構造の分解図で、３６０度旋転する折り畳み脚座は、支承架体１０とベース３１とからなる。支承架体１０の両側はそれぞれ、軸接部１１を延伸し、軸接部１１は複数の定位孔１２を有し、定位孔１２は弾性凸ブロック１３を定位させる。ベース３１の表面は弧形凹槽２５を有し、弧形凹槽２５は軸接部１１を設置する。また、弧形凹槽２５は弾性凸ブロック１３を設置し、軸接部１１が弧形凹槽２５で可動する時、弧形凹槽２５の弾性凸ブロック１３が軸接部１１の可動角度を定位させる。ベース３１と支承架体１０結合後、蓋体３０により支承架体１０がベース３１を遮蔽して、ねじにより固定する。
本考案の長所は、機械上に設置使用する警告ランプが、本考案の３６０度旋転する折り畳み脚座を使用すると、大型機械遷移時、警告ランプを機械に対し平坦に倒すことができるので、警告ランプが遷移の高度により制限を受けて衝突するのを防止する。また、産業上の利用可能性としては、本考案の３６０度旋転する折り畳み脚座は、旋転角度と折り畳み収納が必要な製品に応用できる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００９】
支承架体１０
軸接部１１
定位孔１２
弾性凸ブロック１３
旋転ベース２０
上旋転盤２１
下ベース２２
螺旋柱２３
定位孔２４
弧形凹槽２５
通孔２６
蓋体３０
ベース３１
警告ランプ４０
機械４１
【図１】
0003149682.tif 000003
【図２】
0003149682.tif 000004
【図３】
0003149682.tif 000005
【図４】
0003149682.tif 000006
【図５】
0003149682.tif 000007
【図６】
0003149682.tif 000008
【図７】
0003149682.tif 000009
【図８】
0003149682.tif 000010